(57)【特許請求の範囲】
【請求項１】
弾球を用いて遊技が行われる弾球遊技機の表枠前面に設けられ、且つこの表枠に設置される遊技盤上に弾球を打ち出す弾球打出装置の打力を調節する打力調整機構に連結された操作ハンドルを有する弾球遊技機であって、
前記操作ハンドルを全方位に回動自在に支持すると共に前記操作ハンドルを所定の回動角度にて固定する固定手段を有し、
前記操作ハンドルは軸受け部を有し、この軸受け部は、前記表枠前面に設けられた球形の凹部と、前記操作ハンドルが設けられ前記凹部に回動自在に係合する球形の凸部と、を備え、前記固定手段は、前記凸部を膨張させてこの膨張時に前記凹部内面に前記凸部を係止するものであり、
前記操作ハンドルは、一端が前記凸部を貫通して前記打力調節機構に連結される回転軸の他端に固定され、前記固定手段は、前記凸部に圧入される圧入部材を備え、この圧入部材の圧入時に前記凸部が膨張して前記凹部内面に係止されることを特徴とする弾球遊技機。
【請求項２】
前記打力調節機構に連結される前記回転軸の一端には、可撓性を有する連結部材が設けられ、前記回転軸は、前記可撓性を有する連結部材を介して前記打力調節軸に連結されていることを特徴とする請求項１に記載の弾球遊技機。
【請求項３】
弾球を用いて遊技が行われる弾球遊技機の表枠前面に設けられ、且つこの表枠に設置される遊技盤上に弾球を打ち出す弾球打出装置の打力を調節する打力調整機構に連結された操作ハンドルを有する弾球遊技機であって、
前記操作ハンドルを全方位に回動自在に支持すると共に前記操作ハンドルを所定の回動角度にて固定する固定手段を有し、
前記固定手段は、前記凹部内空間を収縮させて、この収縮時に前記凹部内面に前記凸部を係止させるものであり、
凹部の開口側に嵌合する押蓋を設け、この押蓋を凹部内にねじ込むことにより、凹部内空間を収縮させて凹部内に組み込まれた球体を圧迫し、凹部内壁面に球体が係止されることを特徴とする弾球遊技機。
【発明の詳細な説明】
【０００１】
【発明の属する技術分野】
本発明は、弾球遊技機に関し、さらに詳細には、弾球遊技機の表枠前面に設けられる打力調節用の操作ハンドルに関する。
【０００２】
【従来の技術】
一般に、パチンコ機などの弾球遊技機の表枠前面に設けられる打力調整用の操作ハンドルは、各種パチンコ機において概ね一定の高さ位置にあり、その取付け角度は、表枠前面に対して垂直に設けられている。このため、人により体格が異なる遊技者にとっては操作しずらいこともある。
【０００３】
そこで、従来、この操作ハンドルの操作性を向上させるべく、操作ハンドルが表枠前面に対して一方向（上下方向）に可動する操作ハンドルが発明され、特開平３−１２８０７６号公報として開示されている。
【０００４】
この特開平３−１２８０７６号公報に開示される操作ハンドルは、弾発力調節機構を備えパチンコ機の表枠前面に固定される円筒状の固定部材と、この固定部材の側方から挿通される連結ピンと、この連結ピンを介して固定部材の前端に連結され該連結ピンを回転中心として上下に回動可能なハンドルと、このハンドルの周方向に回動自在に組み込まれた操作レバーと、を有する。また、この操作ハンドルは固定部材及びハンドルに挿通され一端が操作レバーに接続され他端が自在継手を介して前記弾発力調節機構に連結される回転軸を有し、操作レバーの回転操作がこの自在継手を備えた回転軸を介して前記固定部材と一体に設けられた弾発力調節機構に伝達され打力の調節を行うことができる。
【０００５】
また、連結ピンの周囲には、固定部材にハンドルを固定化すべくクラッチ歯が対向して各部材に設けられると共に、この互いに対向するクラッチ歯が常時かみ合い状態となるように、ハンドル側に設けられたクラッチ歯を固定部材側のクラッチ歯に押しつけるスプリングを備えている。そして、この固定部材側に設けられたクラッチ歯にハンドル側のクラッチ歯がかみ合い、ハンドルが固定部材に対して所定の角度で固定される。
【０００６】
なお、ハンドルの角度を変えるにはクラッチ歯を付勢するスプリングにうち勝つ力でハンドルを上下に回動させ所定の角度に変更する。この時、クラッチ歯では、この強制的な操作により一時的にかみ合い状態が解かれハンドルの角度変更が可能となる。
【０００７】
【発明が解決しようとする課題】
しかしながら、この従来例に示す操作ハンドルにあっては、固定部材の側方から挿通された連結ピンを回転中心として、この連結ピンに連結されるハンドルが単に上下方向に可動するのみであるため、必ずしも遊技者が望む所定の位置にハンドルを固定化することができなかった。すなわち、操作性が良いとは必ずしもいえなかった。
【０００８】
また、従来の操作ハンドルは、数多くの部品を組み合わせて構成するため、部品製作に係る費用が一般的な操作ハンドルに比べて割高になると共に、さらにその組み立てには多くの時間と労力を必要とするため製作コストの面においても改善の余地があった。
【０００９】
また、ハンドルを固定化するにあたり、クラッチ歯を付勢するスプリングの張力に頼りハンドルを固定化しているため、ハンドルに対する力のかけ具合によっては、遊技者の意志に反してハンドルの角度が変わることもある。
【００１０】
よって、本発明は前記事項を考慮しなされたもので、表枠前面に対して全方位に可動する操作性のよい操作ハンドルを備えた弾球遊技機を提供することを課題とする。また、コスト的にも安価に製作可能な角度自在の操作ハンドルを備えた弾球遊技機を提供することを課題とする。さらに、所望の角度にて確実に固定することができる操作ハンドルを備えた弾球遊技機を提供することを課題とする。
【００１１】
【課題を解決するための手段】
前記課題を解決するため、本発明は次のような構成とした。すなわち、弾球を用いて遊技が行われる弾球遊技機の表枠前面に設けられ、且つこの表枠に設置される遊技盤上に弾球を打ち出す弾球打出装置の打力を調節する打力調整機構に連結された操作ハンドルを有する弾球遊技機であって、前記操作ハンドルを全方位に回動自在に支持すると共に前記操作ハンドルを所定の回動角度にて固定する固定手段を有し、前記操作ハンドルは軸受け部を有し、この軸受け部は、前記表枠前面に設けられた球形の凹部と、前記操作ハンドルが設けられ前記凹部に回動自在に係合する球形の凸部と、を備え、前記固定手段は、前記凸部を膨張させてこの膨張時に前記凹部内面に前記凸部を係止するものであり、前記操作ハンドルは、一端が前記凸部を貫通して前記打力調節機構に連結される回転軸の他端に固定され、前記固定手段は、前記凸部に圧入される圧入部材を備え、この圧入部材の圧入時に前記凸部が膨張して前記凹部内面に係止されることを特徴とする。
【００１２】
このように、本発明は、操作ハンドルが表枠前面に枢着され、さらに、この操作ハンドルを所望の角度に固定する固定手段を有している。この固定手段は、軸受け部を拘束状態とし、この拘束状態にある軸受け部を介して操作ハンドルを所望の回動角度に固定することが可能である。
【００１３】
前記打力調節機構に連結される前記回転軸の一端には、可撓性を有する連結部材が設けられ、前記回転軸は、前記可撓性を有する連結部材を介して前記打力調節軸に連結することができる。
【００１４】
また、本発明では、前記固定手段を、前記凹部内空間を収縮させて、この収縮時に前記凹部内面に前記凸部を係止させるものであり、凹部の開口側に嵌合する押蓋を設け、この押蓋を凹部内にねじ込むことにより、凹部内空間を収縮させて凹部内に組み込まれた球体を圧迫し、凹部内壁面に球体が係止されるように構成とすることが可能である。
【００１６】
【発明の実施の形態】
以下、図面を参照して本発明の好適な実施の形態について説明する。
＜第１の実施の形態＞
まず始めに、本発明に係る操作ハンドルを説明するに先立ち、この操作ハンドルが設けられる弾球遊技機を図１を参照して説明する。
【００１７】
弾球遊技機（以下、単に遊技機１と称す）は、縦長な方形状の枠組にて構成され遊技機１の設置場所に固定される外枠２と、該外枠２に一側を保持され且つ該外枠２に対して開閉自在に設けられた表枠３と、該表枠３の前面上部に開閉自在に設けられた窓枠４と、を備え、その表枠３に遊技機１を構成する主要構成部品の略全てが集約して設けられている。
【００１８】
表枠３に設けられる主要構成部品には、盤面上が遊技領域とされる遊技盤４０、遊技機１に供給すべく弾球を一時貯留する上皿１２、遊技機１内より賞球として排出された弾球の一部を貯留する下皿１８、弾球を遊技領域に打出す弾球打出装置５０、この弾球打出装置５０を操作するための操作ハンドル６０、各種装置の制御基盤が取り付けられる機構板（図示せず）、などが挙げられる。
【００１９】
また、遊技機１の側方にカードユニット装置３０が付設されている。このカードユニット装置３０は、遊技者に弾球を貸し出すための装置であり、カードリーダー等を備えている。なお、本実施形態においては、遊技者に弾球を貸し出すための装置としてカードユニット装置３０を例示したが、例えば、紙幣等を挿入して弾球を借り入れることが可能な装置であっても良い。
【００２０】
表枠３に対して開閉自在に設けられた窓枠４には、遊技盤４０の遊技領域４８全体をその枠内に略覗き見ることができる窓部５が設けられている。また、この窓部５にはガラス板が取り付けられている。また、窓部５の外周に沿って装飾ＬＥＤ７、装飾蛍光灯６、スピーカー１０などが設けられている。
【００２１】
表枠３に設置される遊技盤４０は、表枠３の裏面側に一体的に形成される遊技盤収納枠（図示せず）に収納固定されるべく、略正方形の合板により構成されている。また、この合板の前面には、円形うず巻き状に形成された誘導壁４９と、誘導壁４９によって囲まれた領域に釘、風車等の障害物が複数設けられている。即ち、誘導壁４９にて囲まれた領域が遊技盤４０における遊技領域４８となる。そして、後述する弾球打出装置５０から打出された弾球は誘導壁４９に沿って遊技領域内に導かれ、遊技領域４８内の障害物によってその進路方向（コース）をランダムに変えながら落下する。
【００２２】
また、この遊技盤４０の中央には液晶ディスプレイからなる表示部４１が設けられており、その表示部４１に種々の情報及び図柄が連続的に表示される。また、この表示部４１の直下には表示部４１の表示内容を可変表示せしめる始動入賞口４３が設けられている。また、図中、４２は大当たり時に開く可変入賞口、４６は、遊技盤上の弾球を遊技機１内に排出するアウト口である。
【００２３】
表枠３に設けられる上皿１２は、複数の合成樹脂製部材を組合せて形成されており上記した窓枠４の下方に設けられている。また、上皿１２の内部は若干傾斜面に形成されており、その上流側に賞球払出口１４が設けられ、下流側に遊技球供給口１５が設けられている。
【００２４】
また、この上皿１２には弾球抜きレバー１６が設けられている。この弾球抜きレバー１６は左右方向に操作可能に設けられ、図示しないスプリングの付勢力に抗して一方向に移動させることにより、上皿１２に貯留されていた弾球を表枠２の裏面に形成される弾球抜き路（図示しない）を流下させて下皿１８に誘導するものである。
【００２５】
表枠３に設けられる下皿１８は、表枠３の最下部に設けられている。この下皿１８は、複数の合成樹脂部材を組み合わせて形成され、その内方には余剰玉払出口１９が設けられている。なお、この余剰玉払出口１９は、表枠３の裏面に設けられた余剰玉迂回通路を介して上皿１２に接続されており、上皿１２で確保しきれなかった賞玉をこれら余剰玉迂回通路及び余剰玉払出口１９を介して下皿１８内に確保することができる。
【００２６】
また、下皿１８の左側には灰皿２１が一体的に設けられ、右側には操作ハンドル６０が設けられている。そして、この操作ハンドル６０の背後における表枠３の裏面側３ｂに弾球打出装置５０が設けられている。
【００２７】
操作ハンドル６０の操作対象となる弾球打出装置５０は、図２に示すように弾球打出装置５０の主要構成部品を集約して保持するベースプレート５１を介して表枠裏面側３ｂに固定されている。
【００２８】
ベースプレート５１に設けられる主要構成部品は、ベースプレート５１の略中央に設けられ遊技盤４０に弾球を打ち出す打出杆５２と、この打出杆５２を回動自在に支持する主軸５３と、弾球の打出方向（図中矢印Ｓ方向）に打出杆５２を付勢するスプリング５４と、このスプリング５４に逆らって打出杆５２を所定の位置に引き戻すカム５６、及びリンク機構５６ａなどを挙げることができる。なお、カム５６は、このカム５６を回転させるための電動モータ５５に取り付けられている。
【００２９】
そして、カム５６の回転角度が増すにつれて図中矢印Ｒ方向に打出杆５２が徐々に引かれ、カム５６が所定の回転角度に達すると同時にリンク機構５６ａを介して打出杆５２の拘束が解かれ、打出杆５２に連結されたスプリング５４の張力により弾球が遊技盤４０上にはじき出される。
【００３０】
また、スプリング５４の張力はスプリング調整機構を介して任意に調節できるようになっている。スプリング調整機構は、スプリング５４の一端が固定されているスプリング巻取プーリ５７と、スプリング巻取プーリ５７にワイヤ５８を介して連結するワイヤ巻取プーリ５９と、このワイヤ巻取プーリ５９に設けられた打力調節軸１１と、を有し、この打力調節軸１１に操作ハンドル６０が連結されている。なお、打力調節軸１１はベースプレート５１に設けられる軸受け（図示せず）を介してこのベースプレート５１に対して回転自在に支持されている。
【００３１】
そして、操作ハンドル６０をその周方向に回転させると打力調節軸１１→ワイヤ巻取プーリ５９→ワイヤ５８→スプリング巻取用プーリ５７の順に回転が伝わり、スプリング巻取用プーリ５７は操作ハンドル６０の回転操作と同期して図中矢印Ｋ方向に回転しスプリング５４を巻き取る。そして、スプリング５４の固定端が張力を高める方向（図中矢印ｋ方向）に移動して、より強い打力での打出しが可能となる。以下、この弾球打出装置５０に連結される操作ハンドル６０に関し、図３〜図１４を参照してより詳細に説明する。
【００３２】
操作ハンドル６０は、この操作ハンドル６０を表枠前面３ａに対して全方位に回動自在に支持する軸受け部６１を介して取り付けられている。軸受け部６１は、複数の合成樹脂部材を組み合わせて形成され、図４に示すように操作ハンドル６０の回動の支点となる球体６２（凸部）と、この球体６２が回転自在に係合する球形の凹部６３を備え前記表枠前面３ａに固定される固定部材６４と、からなる。なお、図４における６２ａ、６４ａは各部材の分割線である。
【００３３】
また、図７に示すように表枠前面３ａに接して固定される固定部材６４の表面部分にはその凹部６３と連通したすり鉢状の開口部６５が形成されており、このすり鉢状の開口部６５内に上記した打力調節軸１１が露出して設けられる。また、開口部６５から臨む球体６２の表面には、この球体６２の表面から反対側の表面に向かって連穿された回転軸挿通孔６６が形成され、この回転軸挿通孔６６に一端が前記打力調節軸１１に連結する回転軸６７が挿通されている。そして、この回転軸６７の他端に円盤状の操作ハンドル６０が固定されている。なお、本実施の形態では、回転軸６７と操作ハンドル６０とを１つの部材として一体に製作しているが、各部材６０、６７は別々に製作することもできる。
【００３４】
また、回転軸６７の一端側には、ねじりコイルバネ６８が固定されており、回転軸６７はこのねじりコイルバネ６８を介して打力調節軸１１に連結されている。また、このねじりコイルバネ６８の外周には可撓性を有するチューブ６９が外嵌しており、このチューブ６９が操作ハンドル６０の回転操作時におけるねじりコイルバネ６８の不必要な変形を抑制している。
【００３５】
なお、本実施形態においては、回転軸６７と打力調節軸１１とを連結する連結部材としてねじりコイルバネ６８を例示したが、例えば、円柱状に形成された硬質スポンジなどを採用してもよい。またさらに、ユニーバーサルジョイントなどの自在継手を用いて連結してもよい。
【００３６】
そして、図９に示すように、回転軸６７が軸受け部６１を介して回動した状態においても、この回転軸６７の回転は、ねじりコイルバネ６８を介して正確に打力調節軸１１に伝達される。なお、上記したすり鉢状の開口部６５は、この回転軸６７の傾斜時における回転軸６７と固定部材６４との干渉を避けるための逃げとなる。
【００３７】
また、操作ハンドル６０が接触する球体６２の表面には端面７１が形成され、さらに、この球体６２の端面７１に接する操作ハンドル６０側も平滑面７２に形成されている。このため、操作ハンドル６０は球体６２上に安定して支持され、操作ハンドル６０の操作時には球体６４側の端面７１に添って操作ハンドル６０の平滑面７２が接触してスムースに操作ハンドル６０を回転させることができる。
【００３８】
このように、本実施の形態に示す操作ハンドル６０は、表枠前面３ａに対して全方位に回動自在な軸受け部６１を介して表枠前面３ａに取付けられるため、遊技者は、好みの角度、位置にて操作ハンドル６０を操作することができる。
【００３９】
なお、本実施の形態に示す操作ハンドル６０は上記構成に加えて、さらに、操作ハンドル６０を所望の回動角度にて固定する固定機構（固定手段）を備えている。以下、この固定機構について図７〜図１１を参照して説明する。
【００４０】
まず、この固定機構の概略について説明すると、上記した回転軸６７にスライド可能に外嵌する金属製のスリーブ８０を設け、このスリーブ８０を回転軸６７の軸方向にスライドさせて軸受け部６１に保持される球体６２内に圧入する。そして、このスリーブ８０を圧入することにより球体６２を膨張させ、この膨張した球体６２の表面を固定部材６４の凹部６３内壁面に係止させる。そして、この拘束された球体６２を介して表枠前面３ａに対する操作ハンドル６０の角度、位置を所望の位置にて固定することができる。
【００４１】
球体６２を拘束状態にするスリーブ８０は、金属等の剛体にて形成された円筒形をなし、スリーブ８０の一端には操作部８３が設けられている。また、スリーブ８０の他端には球形の突起８４が設けられ、操作部８３を有する端部側が操作ハンドル６０側となるように回転軸６７にスライド可能に外嵌されている。本実施の形態では、単に板状の操作部８３を採用しているがこの操作部８３の形状は板状に限定されることはない。
【００４２】
なお、回転軸６７に接続された操作ハンドル６０には、その平滑面７２に対してスリーブ８０の操作部８３が収められる切り溝８５が形成され、この切り溝８５内に操作部８３が収められている。すなわち、図７及び図８に示すように、この切り溝８５内に操作部８３が収まり、この切り溝８５内にて操作部８３を操作する。このため、操作部８３が邪魔になり球体６２の端面７１に対する操作ハンドル６０の安定性が損なわれることはない。
【００４３】
一方、球体６２には、その前方（遊技機側）から後方（遊技者側）に向けて放射状に切り込まれたスリット８６が設けられ（図４及び図１０参照）、このスリット８６によって、球体６２の前方（遊技機側）に剛性の低い箇所が局所的に形成されている。
【００４４】
またさらに、球体６２に設けられる回転軸挿通孔６６の略中間地点には、前方（遊技機側）に向かうにつれて内径が小さくなる円錐状に形成された空洞部分８２が設けられており、この空洞部分８２内にスリーブ８０の先端が突出するようにスリーブ８０の全長が設定されている。なお、球体６２は図４に示すように、左右対称の２つの部材６２ｃ、６２ｄにて形成されているため、スリーブ８０を球体６２に組み込む時には、まず、一方の球体６２ｃにスリーブ８０をはめ込み、そして、スリーブ８０が組み込まれた球体６２ｃと他方の球体６２ｄとを接合する。
【００４５】
また、スリーブ８０が挿入される回転軸挿通孔６６の開口近傍（遊技者側）は、スリーブ８０の外径と略等しい内径に形成されており、スリーブ８０は回転軸６７と干渉することなくこの回転軸挿通孔６６内に回転軸６７と共に挿通される。すなわち、スリーブ８０は回転軸６７のガイドに相当し、回転軸６７はこのスリーブ８０を介して球体６２に保持されることとなる。また、回転軸挿通孔６６に挿入されるスリーブ８０は、回転軸６７に対してスライド自在であることは勿論のこと、回転軸挿通孔６６に対してもスライド自在に設けられている。
【００４６】
そして、スリーブ８０に設けられた操作部８３を切り溝８５内にて前方（遊技機側）に押し出すと、スリーブ８０のみが回転軸６７及び球体６２に対してその前方側（遊技者側）にスライドして、その先端が円錐状に形成された空洞部分８２の内壁面に接触する。そして、そこからさらに操作部８３を前方に押し込むと図９及び図１１に示すように、スリット８６が切り込まれて剛性の低くなった箇所が、外方に広がり凹部６３内壁面に圧接状態となる。このため球体６２は凹部６３内壁面に係止される。従って、この凹部６３によって拘束された球体６２を介して回転軸６７及びこの回転軸６７に固定される操作ハンドル６０を所定の傾斜角度にて固定化することができる。図１１は球体６２が外方側へ広がる際の原理図である。
【００４７】
なお、球体６２が膨張して軸受け部６１が固定化された際においても、球体６２を拡張させるスリーブ８０は上記したように金属等の剛体にて形成されているため、球体６２が元の形状に戻ろうとする反力（復元力）によって押しつぶされることはなく、スリーブ８０内に挿通される回転軸６７とスリーブ８０とのクリアランスは十分に確保される。よって、スリーブ８０の圧入時においても操作ハンドル６０の回転操作に支障を来すことはない。
【００４８】
また、空洞部分８２には、スリーブ８０の先端に設けられた球形の突起８４と係合してスリーブ８０を空洞部分８２の所定の位置に保持するスリーブ保持溝８７が設けられている。ここで所定の位置とは球体６２が適度に外方に広がり拘束される位置を示し、本実施の形態では空洞部分８２の前端（遊技機側）にスリーブ保持溝８７が形成されている。そして、スリーブ８０はこのスリーブ保持溝８３にて空洞部分８２内に保持され、球体６２の復元力により手前側に押し戻されることはなくなる。
【００４９】
したがって、球体６２の拘束状態を操作部８３の操作後においても維持することができる。また、操作部８３の操作時には、この操作部８３を介して適度な節度感が得られて遊技者は軸受け部６１が固定化されたことを認識することができる。このように操作ハンドル６０を所望の回動角度、位置にて無段階に固定化しうるので、操作ハンドル６０の操作性がさらに向上する。
【００５０】
なお、軸受け部６１を固定化すべく固定機構には、球体６２側を膨張させて軸受け部６１を固定化するもののみならず、球体６２を回転自在に保持する凹部６３側を収縮させて軸受け部６１を固定化しうる固定機構であってもよい。以下、この凹部６３側を収縮させて軸受け部６１を固定化する好的な実施の形態について説明する。
【００５１】
＜実施の形態２＞
まず、この凹部６３側を収縮させて軸受け部６１を固定化する固定機構の概略を図１２〜図１４を参照して説明する。この実施の形態に示す固定機構は、上記した凹部６３の開口９１側に嵌合する押蓋９０を設け、この押蓋９０を凹部６３内にねじ込むことにより、凹部６３を収縮させて凹部６３内に組み込まれる球体６２を圧迫する。これにより凹部６３内壁面に球体６２が係止され球体６２が拘束される。
【００５２】
この凹部６３の開口９１側からねじ込まれる押蓋９０は、図１３に示すように外周面に雄ねじ山９３が切られ内周面が球体６２の表面に添う器状に形成された球体支持部９６と、この球体支持部９６を凹部６３内に組み込んだ際、手前側（遊技者側）となる端面には鍔部９４が設けられている。
【００５３】
一方、この押蓋９０がねじ込まれる凹部６３側も、押蓋９０の外径と同じ内径となるようにその開口９１側が大きく開口され、その開口９１近傍における側壁面には上記した押蓋９０の雄ねじ山９３と係合する雌ねじ山９５が形成されている。そして、凹部６３に球体６２を組み込んだ後に、この押蓋９０を装着する。
【００５４】
そして、軸受け部６１を固定する時には、操作ハンドル６０を好みの位置に調節した後に押蓋９０の鍔部９４を回して凹部６３内に押蓋９０をねじ込んで行く。すると、この凹部６３内が開口９１側から次第に収縮され凹部６３に組み込まれる球体６２が圧迫されて凹部６３内壁面に係止される。従って、軸受け部６１は固定化され、この固定化された軸受け部６１により操作ハンドル６０が所定の回動角度、位置にて保持される。
【００５５】
このように本実施の形態では、球体を膨張させるか又は凹部を収縮させるかして操作ハンドルを無段階に固定化することができるので遊技者の体格や好みに合わせたきめ細かな角度にて操作ハンドルを固定することができる。
【００５６】
また、本実施の形態に示す操作ハンドルは、上記したように従来の一方向に回動する操作ハンドルに比べてその構成部品数が少なく、また、組立も極めて容易である。このため製作に要する労力及びコストを大幅に減らすことができる。
【００５７】
なお、本実施の形態に示す操作ハンドルは、上記した弾球遊技機に限られず弾球を用いて遊技を行える各種の弾球遊技機にも、勿論、採用することができる。さらに、操作ハンドルが連結する弾球打出装置も上記した弾球打出装置に限られず、他の機構を有して弾球を打ち出す弾球打出装置にも対応することができる。すなわち、本実施の形態に示す操作ハンドルは、操作ハンドルの回転操作に連動して打力の調節が可能な弾球打出装置を有する弾球遊技機に設けることができる。
【００５８】
【発明の効果】
以上のように本発明によれば、表枠前面に対して全方位に可動する操作性のよい操作ハンドルを備えた弾球遊技機を提供することができる。また、コスト的にも安価に製作可能な角度自在の操作ハンドルを備えた弾球遊技機を提供することができる。さらに、所望の角度にて確実に固定される操作ハンドルを備えた弾球遊技機を提供することができる。
【図面の簡単な説明】
【図１】本発明の実施の形態に係る弾球遊技機の斜視図。
【図２】本発明の実施の形態に係る弾球打出装置を示す斜視図。
【図３】本発明の実施の形態に係る操作ハンドルを示す斜視図。
【図４】本発明の実施の形態に係る操作ハンドルの分解斜視図。
【図５】本発明の実施の形態に係る操作ハンドルの側面図。
【図６】本発明の実施の形態に係る操作ハンドルの底面図。
【図７】本発明の実施の形態に係る操作ハンドルの回動可能状態における断面図。
【図８】本発明の実施の形態に係る操作ハンドルの固定状態における断面図。
【図９】本発明の実施の形態に係る操作ハンドルの固定状態における断面図。
【図１０】本発明の実施の形態に係る軸受け部に設けられる球体の正面図。
【図１１】本発明の実施の形態に係る球体の膨張を示す原理図。
【図１２】本発明の他の実施の形態に係る操作ハンドルの固定状態における断面図。
【図１３】本発明の他の実施の形態に係る押蓋の斜視図。
【図１４】本発明の他の実施の形態に係る押蓋の断面図。
【符号の説明】
１  弾球遊技機
２  外枠
３  表枠
３ａ  表枠前面
３ｂ  表枠裏面
４  窓枠
１１  打力調節軸
１２  上皿
１８  下皿
２１  灰皿
４０  遊技盤
５０  弾球打出装置
５１  ベースプレート
５２  打出杆
５３  主軸
５４  スプリング
５５  モータ
５６  カム
５６ａ  リンク機構
５８  ワイヤ
６０  操作ハンドル
６１  軸受け部
６２  球体（凸部）
６３  凹部
６４  固定部材
６５  すり鉢状の開口部
６６  回転軸挿通孔
６７  回転軸
６８  ねじりコイルバネ
６９  チューブ
８０  スリーブ
８２  空洞部分
８３  操作部
８４  突起
８５  切り溝
８６  スリット
９０  押蓋
９１  開口
９３  雄ねじ山
９４  鍔部
９５  雌ねじ山
９６  球体支持部
【図１】
0003650720.tif 000002
【図２】
0003650720.tif 000003
【図３】
0003650720.tif 000004
【図４】
0003650720.tif 000005
【図５】
0003650720.tif 000006
【図６】
0003650720.tif 000007
【図７】
0003650720.tif 000008
【図８】
0003650720.tif 000009
【図９】
0003650720.tif 000010
【図１０】
0003650720.tif 000011
【図１１】
0003650720.tif 000012
【図１２】
0003650720.tif 000013
【図１３】
0003650720.tif 000014
【図１４】
0003650720.tif 000015